【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
挿入された取引媒体が有する磁気ストライプ及び／又はＩＣチップから前記取引媒体に関する媒体情報を読み取る媒体処理部と、
前記磁気ストライプの読取り内容に異常がある場合、前記ＩＣチップ内の前記媒体情報を基に、前記磁気ストライプの修復が可能であるか否かを判定する修復可否判定部と、を有し、
前記修復可否判定部は、前記取引媒体がクレジット機能を有する場合、前記磁気ストライプの修復は不可と判定することを特徴とする、自動取引装置。
【請求項２】
前記媒体情報は、前記取引媒体がクレジット機能を有するか否かを示すコードを含み、
前記修復可否判定部は、当該コードに基づいて前記取引媒体がクレジット機能を有するか否かを判定することを特徴とする、請求項１に記載の自動取引装置。
【請求項３】
前記媒体情報は、取引媒体の発行元である金融機関を示す情報を含むことを特徴とする、請求項１又は２に記載の自動取引装置。
【請求項４】
磁気ストライプ及びＩＣチップを有する１の取引媒体から前記１の取引媒体を特定可能な識別情報を含む媒体情報を読み取る媒体処理部と、
ユーザから認証情報を入力認証情報として受け付ける認証情報入力部と、
前記媒体情報に基づいて前記１の取引媒体の前記磁気ストライプの修復が可能か否かの判定である修復可否判定を行う修復可否判定部と、を有し、
前記修復可否判定において前記磁気ストライプの修復が可能であり、前記入力認証情報が認証情報として正しい場合に、前記磁気ストライプの修復が実行されることを特徴とする自動取引装置。
【請求項５】
前記磁気ストライプの修復が実行される際に前記ユーザにより入力が必要とされるコードである確認コードを前記ユーザに入力するよう指示する確認コード入力指示部を有する、請求項４に記載の自動取引装置。
【請求項６】
前記媒体情報は、前記１の取引媒体の仕様を示す仕様識別子を含み、
前記修復可否判定部は、前記磁気ストライプの修復の対象となり得る媒体として予め定められた対象媒体に対応する識別子である対象媒体識別子を含み、
前記修復可否判定部は、前記仕様識別子が前記対象媒体識別子と一致するか否かに基づいて修復の対象となるか否かの対象判定を行うことを特徴とする請求項５に記載の自動取引装置。
【請求項７】
前記磁気ストライプからの前記媒体情報の読取が可能であるか否かの磁気読取判定を行う磁気読取判定部を有し、
前記磁気読取判定において可能ではないと判定された場合に、前記修復可否判定部が前記対象判定を実行し、前記対象判定の結果に応じて前記確認コード入力指示部が前記確認コードの入力をユーザに指示することを特徴とする請求項６に記載の自動取引装置。
【請求項８】
取引媒体の外観の画像を取得する媒体撮像部を有し、前記媒体撮像部からの画像を解析して前記取引媒体にＩＣチップが搭載されているか否かのＩＣ有無判定を行うＩＣ有無判定部をさらに有し、前記ＩＣ有無判定において、前記ＩＣチップが搭載されていると判定された場合に、前記媒体処理部によって前記媒体情報を読取ることを特徴とする請求項４乃至７のいずれか１項に記載の自動取引装置。
【請求項９】
前記確認コードを前記１の取引媒体に対応付けて記録確認コードとして保持する確認コード保持部と、
ユーザから前記１の取引媒体に対する確認コードを入力確認コードとして受け付ける確認コード入力部と、
前記１の取引媒体に対応する確認コードとして前記確認コード入力部がユーザから受け付けた入力確認コードと、前記１の取引媒体に対応付けて保持された前記記録確認コードと、が一致するか否かの判定である確認コード判定を行う確認コード判定部を有し、
前記媒体処理部は、前記確認コード判定において一致すると判定された場合に、前記媒体情報に基づいて取得された書込み用データを前記１の取引媒体の前記磁気ストライプに書き込むことで前記磁気ストライプを修復することを特徴とする請求項５又は７のいずれか１に記載の自動取引装置。
【請求項１０】
前記確認コードは生成後一定の時間が経過した後に無効となることを特徴とする請求項５に記載の自動取引装置。
【請求項１１】
前記確認コードは生成後一定の回数を超えて入力された後に無効とされることを特徴とする請求項５又は１０に記載の自動取引装置。
【請求項１２】
前記磁気ストライプからのデータ読取が可能であるか否かの磁気読取判定を行う磁気読取判定部を有し、
前記磁気読取判定において可能でないと判定された場合に、前記磁気ストライプを修復することを特徴とする請求項４乃至１１のいずれか１項に記載の自動取引装置。
【請求項１３】
前記修復可否判定において前記磁気ストライプの修復が可能であると判定された場合に、前記１の取引媒体に対応付けて前記磁気ストライプの修復の実行に関する前記確認コードを生成する確認コード生成部をさらに有することを特徴とする請求項５に記載の自動取引装置。
【請求項１４】
前記確認コード生成部によって生成された前記確認コードを前記ユーザに提示する確認コード提示部をさらに有することを特徴とする請求項１３に記載の自動取引装置。
【請求項１５】
前記確認コードは、前記認証情報と同一であることを特徴とする請求項５、７、９乃至１１、１３、１４のいずれか１項に記載の自動取引装置。
【請求項１６】
自動取引装置と、
前記自動取引装置と通信可能に接続されているホストコンピュータと、を含む自動取引システムであって、
前記自動取引装置は、磁気ストライプ及びＩＣチップを有する１の取引媒体から前記１の取引媒体を特定可能な識別情報を含む媒体情報を読取る媒体処理部と、
ユーザから認証情報を入力認証情報として受け付ける認証情報入力部と、を有し、
前記ホストコンピュータは、
前記媒体情報に基づいて前記１の取引媒体の前記磁気ストライプの修復が可能か否かの判定である修復可否判定を行う修復可否判定部を有し、
前記修復可否判定において前記磁気ストライプの修復が可能であり、前記入力認証情報が認証情報として正しい場合に、前記磁気ストライプの修復が前記自動取引装置によって実行されることを特徴とする自動取引システム。
【請求項１７】
前記自ホストコンピュータは、前記磁気ストライプの修復が実行される際に前記ユーザにより入力が必要とされるコードである確認コードを前記ユーザに入力するよう指示する確認コード入力指示部を有する、請求項１６に記載の自動取引システム。
【請求項１８】
前記確認コードを前記１の取引媒体に対応付けて記録確認コードとして保持する確認コード保持部と、
前記１の取引媒体に対応する確認コードとして入力部がユーザから受け付けた入力確認コードと、前記１の取引媒体に対応付けて保持された前記記録確認コードと、が一致するか否かの判定である確認コード判定を行う確認コード判定部を有し、
前記媒体処理部は、前記確認コード判定において一致すると判定された場合に、前記媒体情報に基づいて取得された書込み用データを前記１の取引媒体の前記磁気ストライプに書き込むことで前記磁気ストライプを修復することを特徴とする請求項１７に記載の自動取引システム。
【請求項１９】
前記確認コードは、前記認証情報と同一であることを特徴とする請求項１７又は１８に記載の自動取引システム。
【請求項２０】
磁気ストライプ及びＩＣチップを有する１の取引媒体から前記１の取引媒体を特定可能な識別情報を含む媒体情報を読取る媒体処理部と、
ユーザから認証情報を入力認証情報として受け付ける認証情報入力部と、を有する自動取引システムに実行させるプログラムであって、
修復可否判定部が前記媒体情報に基づいて前記１の取引媒体が前記磁気ストライプの修復の対象となり得る媒体であるか否かによって修復の可否を判定する対象判定ステップを実行させ、
前記対象判定において前記磁気ストライプの修復が可能であり、前記入力認証情報が認証情報として正しい場合に、前記磁気ストライプの修復が実行される、
ことを特徴とする自動取引プログラム。
【請求項２１】
確認コード入力指示部が、前記磁気ストライプの修復が実行される際に前記ユーザにより入力が必要とされるコードである確認コードを前記ユーザに入力するよう指示する確認コード入力指示ステップを実行させることを特徴とする請求項２０に記載の自動取引プログラム。
【請求項２２】
確認コード保持部が、前記確認コードを前記１の取引媒体に対応付けて記録確認コードとして保持する確認コード保持ステップと、
確認コード判定部が、前記１の取引媒体に対応する確認コードとして入力部がユーザから受け付けた入力確認コードと、前記１の取引媒体に対応付けて保持された前記記録確認コードと、が一致するか否かの判定である確認コード判定を行う確認コード判定ステップと、
前記媒体処理部が、前記確認コード判定ステップにおいて一致すると判定された場合に、前記媒体情報に基づいて取得された書込み用データを前記１の取引媒体の前記磁気ストライプに書き込むことで前記磁気ストライプを修復する磁気ストライプ修復ステップと、
を実行させることを特徴とする請求項２１に記載の自動取引プログラム。